(57)【要約】【課題】回転体をテーパー面とする軸に容易に取付と脱着を可能にした回転体の軸への固定装置を提供する。【解決手段】回転体６を２つのスリーブ３，４によって軸２の装着部位に機械的に固定、脱着できるようにした回転体の軸への固定装置１であり、回転体の装着部位２１をテーパー面２２とし、端部に螺旋部２３を有する軸２と、軸２の回転体の装着部位２１に合着するように内面をテーパー面３１にした内部スリーブ３と、内部スリーブ３の外周部を局部的に嵌合した状態で包囲した外部スリーブ４と、軸２の螺旋部２３に螺着し、外部スリーブ４を押付けあるいは引抜きする方向に回転させて回転体６を機械的に固定あるいは脱着するようにした締付ナット５、から構成される。【選択図】図１
2006112590.tif 000002
【特許請求の範囲】
【請求項１】
回転体を２つのスリーブによって軸の装着部位に機械的に固定、脱着できるようにした回転体の軸への固定装置において、
回転体の装着部位をテーパー面とし、端部に螺旋部を有する軸と、
該軸の回転体の装着部位に合着するように内面をテーパー面にした内部スリーブと、
該内部スリーブの外周部を局部的に嵌合した状態で包囲した外部スリーブと、
該軸の螺旋部に螺着し、該外部スリーブを押付けあるいは引抜きする方向に回転させて回転体を機械的に固定あるいは脱着するようにした締付ナットと、
からなることを特徴とする回転体の軸への固定装置。
【請求項２】
外部スリーブは複数の分離したスリーブからなっている請求項１記載の回転体の軸への固定装置。
【請求項３】
外部スリーブでは、弾性体リングが外周部に設けられた溝部に装着し、回転体壁面に接触している請求項１または２記載の回転体の軸への固定装置。
【発明の詳細な説明】
【技術分野】
【０００１】
本発明は回転体の軸への固定装置に係り、詳しくは歯付プーリ、Ｖリブドベルト用プーリ、Ｖプーリ、ローラなどの回転体の装着部位をテーパー面とした軸にキーを使用しないで容易に取付け、脱着できるようにした回転体の軸への固定装置に関する。
【背景技術】
【０００２】
従来から歯付プーリ、Ｖリブドプーリ、Ｖプーリ、ローラなどの回転体を回転軸に取付けこれを固着させる場合には、回転体の軸穴と回転軸にそれぞれキー溝を切り、この溝にキーを嵌入していた。しかし、従来からキー溝を軸穴と回転軸にキー溝を切るには、相当の工数を要していたことから、キーとキー溝を使用しない新たな固定装置の改善が望まれていた。
【０００３】
特許文献１には、回転体と軸との間に、外周が直円筒状で内周が一側で径小となると共に軸方向に割溝を形成したテーパー状の外スリーブと該外スリーブの内周に嵌合して軸方向に割溝を有する内スリーブに介在させた回転体の取付装置が記載されている。
【特許文献１】実公昭３７−２７１１号公報
【発明の開示】
【発明が解決しようとする課題】
【０００４】
しかし、従来の取付装置では、テーパー状の外スリーブと内スリーブとを組合わせて回転体と軸との間に挿入した構造であるが、回転体を軸に取付ける場合は容易であっても、脱着する場合にはやや困難な構造であった。
【０００５】
本発明は、従来の問題点を改善するものであり、回転体をテーパー面とする軸に容易に取付と脱着を可能にした回転体の軸への固定装置を提供する。
【課題を解決するための手段】
【０００６】
本願請求項記載の発明では、回転体を２つのスリーブによって軸の装着部位に機械的に固定、脱着できるようにした回転体の軸への固定装置において、
回転体の装着部位をテーパー面とし、端部に螺旋部を有する軸と、
該軸の回転体の装着部位に合着するように内面をテーパー面にした内部スリーブと、
該内部スリーブの外周部を局部的に嵌合した状態で包囲した外部スリーブと、
該軸の螺旋部に螺着し、該外部スリーブを押付けあるいは引抜きする方向に回転させて回転体を機械的に固定あるいは脱着するようにした締付ナットと、からなる回転体の軸への固定装置であり、また外部スリーブは複数の分離したスリーブからなっている場合や、外部スリーブでは、弾性体リングが外周部に設けられた溝部に装着し、回転体壁面に接触している場合を含んでいる。
【発明の効果】
【０００７】
本発明の回転体の軸への固定装置では、軸の螺旋部に螺着した締付ナットが外部スリーブを押付けあるいは引抜きする方向に回転して回転体をテーパー面とする軸に機械的に固定あるいは脱着するようにした構造であるために、回転体の軸への固定と脱着が容易になり、また外部スリーブを複数の分離したスリーブにすることで固定装置の組付けや、また弾性体リングを装着することにより分離したスリーブの取付けが容易になり、更には締付ナットの緩め時には回転体と外部スリーブのばらし作業も容易になる。
【発明を実施するための最良の形態】
【０００８】
図１は本発明に係る回転体の軸への固定装置の概略断面図、図２は内部スリーブの断面図、そして図３は外部スリーブの断面図である。
本発明の回転体の軸への固定装置１は、回転体の装着部位２１のみをテーパー面２２とし、端部に螺旋部２３を有する軸２と、該軸２の回転体の装着部位２１に合着するように内面をテーパー面３１にした内部スリーブ３と、該内部スリーブ３の外周部を局部的に嵌合した状態で包囲した外部スリーブ４と、軸２の螺旋部２３に螺着し、外部スリーブ４を押付けあるいは引抜きする方向に回転させて歯付プーリ等の回転体６を機械的に固定あるいは脱着するようにした締付ナット５から構成されている。
【０００９】
内部スリーブ３は、図１と図２に示すように内面では軸方向の長手方向に内径を除々に大きくしたテーパー面３１になり、また外面では外径を軸方向の長手方向に一定とする面であり、端部に突出部３２を形成して外部スリーブ４と嵌合可能になっている。上記テーパー面３１の長さは軸２のテーパー面２２の長さに一致している。内部スリーブ３は長さ方向の始端から末端に沿って貫通した１つのスリット３３とテーパー面３１のある領域には複数（３個）のスリット３４を切り込み、弾性変形を容易にしている。
【００１０】
外部スリーブ４は、図１と図３に示すように２つに分離したスリーブ４５になって固定装置１への組付けを容易にし、各スリーブ４５にスリット４６を設けて、また内面と外面では軸方向の長手方向に内径と外径に変化のない形状をしている。内面の一端に設けられた輪状の第１の凹部４１は、締付ナット５に装着した留め部５１を収容し、締付ナット５の回転に応じて外部スリーブ４は押付けあるいは引抜きする方向へ移動するようになり、一方内面の他端には内部スリーブ３の突出部３２を収容した第２の凹部４２が設けられ、外部スリーブ４が内部スリーブ３と移動できるようになっている。そして、外面の端部には溝部４３が設けられ、その中にゴム、ウレタン等からなる弾性体リング４４を収容して分離した外部スリーブ４の取付けを容易にし、締付ナット５の緩め時には回転体６と外部スリーブ４とのばらしが容易になる。
【００１１】
締付ナット５は、前述のとおり軸２の螺旋部２３に螺着し外部スリーブ４の外径よりやや小さい径であって外部スリーブ４の端面に当接し、また端面に装着した留め部５１が外部スリーブ４の第１の凹部４１に係止されている。締付ナット５は回転によって外部スリーブ４を押付けあるいは引抜きする方向に移動させる。
【００１２】
次に、本発明に係る固定装置１の軸２への取付けと脱着について図４〜図６を用いて説明する。
【００１３】
図４は固定装置１の軸２への取付けの初期状態の断面図であり、２つに分離した外部スリーブ４は第２の凹部４２を内部スリーブ３の突出部３２に嵌合させるとともに、第１の凹部４１に締付ナット５の留め部５１を係止させるように設置され、外面の端部に設けた溝部４３に弾性体リング４４を収容して一体的に組立てられた後、回転体６を外部スリーブ４の外面に挿入して設置する。
【００１４】
回転体６を移動させた後に締付ナット５を軸２の螺旋部２３に螺着して回転すると、外部スリーブ４の第２の凹部４２と内部スリーブ３の突出部３２が嵌合しているために、外部スリーブ４の押付け方向（図５に示す矢印）に従って内部スリーブ３も移動し、軸２のテーパー面２２に密着する。更に、締付ナット５を回転させると、図１に示すように軸２、内部スリーブ３、外部スリーブ４、そして回転体６が互いに強く固着し合い固定装置１になる。
【００１５】
一方、回転体６を脱着させる場合には、締付ナット５を逆に回転して外部スリーブ４とともに内部スリーブ３を図６の矢印方向へ回転させることによって軸２、内部スリーブ３、外部スリーブ４、そして回転体６の互いの固着を開放し、更に締付ナット５を回転することで、容易に回転体６を軸２から脱着することができる。
【産業上の利用可能性】
【００１６】
本発明に係る回転体の軸への固定装置は、歯付プーリ、Ｖリブドベルト用プーリ、Ｖプーリ、ローラなどの回転体の装着部位をテーパー面とした軸にキーを使用しないで容易に取付けと脱着できるようにした回転体の軸への固定装置として広く使用することができる。
【図面の簡単な説明】
【００１７】
【図１】本発明に係る固定装置の概略断面図である。
【図２】内部スリーブの断面図である。
【図３】外部スリーブの断面図である。
【図４】発明に係る固定装置の軸への取付けの初期状態の断面図である。
【図５】発明に係る固定装置の軸への取付けの中間状態の断面図である。
【図６】発明に係る固定装置において回転体を脱着させる初期状態の断面図である。
【符号の説明】
【００１８】
１    固定装置
２    軸
３    内部スリーブ
４    外部スリーブ
５    締付ナット
６    回転体
２１    回転体の装着部位
２２    テーパー面
２３    螺旋部
３１    テーパー面
３２    突出部
３３    スリット
３４    スリット
４１    第１の凹部
４２    第２の凹部
４３    溝部
４４    弾性体リング
５１    留め部
【図１】
2006112590.tif 000003
【図２】
2006112590.tif 000004
【図３】
2006112590.tif 000005
【図４】
2006112590.tif 000006
【図５】
2006112590.tif 000007
【図６】
2006112590.tif 000008